(57)【特許請求の範囲】
【請求項１】
運転室の支柱および側壁等を支持する左取付座、右取付座、前部取付座および後部取付座に固定されるフロアと、このフロア上に操作レバー等の操縦装置とを備えた建設機械の運転室のフロアにおいて、前記運転室のフロアは、土砂等を排出する排出口が配設され、前記フロアの上面より上方に配置される散水管と、この散水管に接続される給水具とを備えたことを特徴とする建設機械の運転室のフロア。
【請求項２】
請求項１記載の建設機械の運転室のフロアにおいて、前記排出口は、排出管を接続してなることを特徴とする建設機械の運転室のフロア。
【請求項３】
請求項１記載の建設機械の運転室のフロアにおいて、前記左取付座、右取付座、前部取付座および後部取付座のうちの少なくとも１ケ所以上で、かつ、前記フロアを固定する角部に排出口を配設したことを特徴とする建設機械の運転室のフロア。
【請求項４】
請求項１記載の建設機械の運転室のフロアにおいて、前記前部取付座および後部取付座は、平面視で略Ｕ字状、あるいは、Ｖ字状に形成され、かつ、前記前部取付座、および／あるいは後部取付座と前記フロアを固定する角部の少なくとも１ケ所に排出口を配設したことを特徴とする建設機械の運転室のフロア。
【請求項５】
請求項１乃至４のうちのいずれかに記載の建設機械の運転室のフロアにおいて、前記操縦装置の前方で、かつ、前記前部取付座と前記フロアとを固定する角部の少なくとも１ケ所に排出口を配設したことを特徴とする建設機械の運転室のフロア。
【請求項６】
請求項１乃至５のうちのいずれかに記載の建設機械の運転室のフロアにおいて、前記フロアは、前方傾斜、あるいは、後方傾斜状態に配設されることを特徴とする建設機械の運転室のフロア。
【発明の詳細な説明】
【０００１】
【発明の属する技術分野】
本発明は、油圧ショベルやブルドーザ等の建設機械の運転室のフロアの構造に係り、特に、フロアに付着する土砂等を容易に洗い流すことのできる建設機械の運転室のフロアおよびその清掃方法に関する。
【０００２】
【従来の技術】
先ず、油圧ショベル２０について図１３により説明する。
下部走行体２１は図示しない走行モータにより前後走行自在となっている。
この下部走行体２１の上部にはスイングサークル２２を介して、上部旋回体２３が装着されている。この上部旋回体２３は図示しない旋回モータにより旋回可能となっている。
この上部旋回体２３には作業機３０，マシンキャブ２６，運転室２７およびカウンタウエイト２８を取着している。
作業機３０はブーム３１，アーム３３，バケット３５、および各油圧シリンダ３２，３４，３６等から構成されている。
油圧ショベル２０は前記の走行モータ、旋回モータおよび油圧シリンダ３２，３４，３６を駆動することにより、土砂の掘削作業を行うようになっている。
前記運転室２７は、オペレータが出入りする度に靴についた土砂がフロアに落ちて汚れるとの問題がある。
このため、従来から運転室２７のフロア上にはマットを敷いてフロアが汚れることを防止している。
マットに付着する土砂が多くなると、マットに水を掛けてブラシ等により洗浄している。また、マットの下に入り込んだ土砂や塵埃等の場合は、マットをフロアから外して、フロアをモップや電気掃除機等で清掃している。
このように、作業現場でオペレータが運転室内の狭い所を清掃する、あるいは、フロアからマットを取外して清掃する必要がある。
【０００３】
このような問題点を解決するために、本特許出願人は先に実開平１−１０８８３８号を出願している。この出願内容は車両のキャビンのフロア上のフロアマットにおいて、フロアが傾斜を有すればこれを利用し、又、平面であればフロアマット上面が傾斜となる断面形状にしてなる、いずれにせよフロアマット上面の傾斜と、前記傾斜が集中してなる少なくとも１箇所以上の底部の穴と、前記傾斜面全面において、前記底部の穴を中心に穴から最遠部の高部に向かって放射状に配置した溝とを備え、フロアマット上のゴミや土が車両の振動によって、自然に穴内に集堆するのを可能にしたことを特徴とする傾斜溝付きフロアマットが記載されている。
【０００４】
また、実開平５−５５６０号によれば、産業機械の運転室の床面上に敷設される床敷材において、本体マット部と該本体マット部の一部を補間する形状の補助マット部から構成し、該補助マット部を固定マット部と該固定マット部に対して回動可能な可動マット部から構成し、該固定マットを前記運転室床面に固定するように構成したことを特徴とする産業機械の運転室用床敷材が記載されている。
【０００５】
【発明が解決しようとする課題】
しかしながら、油圧ショベル等の建設機械の運転室は、フロア上に運転のための操作レバーや操作ペダル等が突出して設けられているので、マットでフロアを完全に覆うことはできない。
また、マットの下、およびマットが敷かれていない部分に入った土砂等を排出することができない。特に、オペレータシートの後方部はエアコン等の機器が載置されているので狭所に堆積する埃、ゴミ等を取除くことはできない。
【０００６】
前記実開平１−１０８８３８号公報に記載のマットは、マット上の土砂や塵埃等がマットの特定箇所に集まり易くしたものである。
また、前記実開平５−５５６０号公報に記載のマットは、マットを回動させることにより土砂や塵埃を放出し、マットを外さないで清掃できるようにしている。しかしながら、前記実用新案は、いずれもマット上に溜まった土砂や塵埃の除去の容易化を図ったものであり、マットの下や、マットが敷かれていない狭所に入った土砂や塵埃の排出することはできない。
【０００７】
本発明は、上記従来の問題点に着目し、運転室内のフロア端部に土砂を排出する排出口を設け、この排出口が下流側になるように運転室を傾けて、上流側から水を流すことにより、マットの下や、マットが敷かれていない狭所に入った土砂や塵埃が、水と一緒に排出口から流出する建設機械の運転室のフロアを提供することを目的とする。
【０００８】
【課題を解決するための手段および作用効果】
上記目的を達成するために、本発明に係る建設機械の運転室のフロアの第１発明は、運転室の支柱および側壁等を支持する左取付座、右取付座、前部取付座および後部取付座に固定されるフロアと、このフロア上に操作レバー等の操縦装置とを備えた建設機械の運転室のフロアにおいて、前記運転室のフロアは、土砂等を排出する排出口が配設され、前記フロアの上面より上方に配置される散水管と、この散水管に接続される給水具とを備えたことを特徴とする。
上記構成によれば、給水具にホースを接続して水道水を送水すれば、散水管からフロアに散水される水によりフロアに付着する土砂等を排出口から車体外部へ容易に洗い流すことができる。したがって、従来のようにフロアをモップや電気掃除機等で清掃する手間がかからず、運転室のフロアを簡単に清掃することができる。
また、運転室の近傍に水タンクを配置して、水ポンプにより洗浄水を給水具に圧送するようにすれば、建設機械が市街地を離れて稼働するときに便利である。
【０００９】
第２発明は、第１発明の構成において、前記排出口は、排出管を接続してなることを特徴とする。
上記構成によれば、フロアに散水して洗い流される土砂等は排出管から地面に落下するようになっており、車体を汚すことがないようになっている。
【００１０】
第３発明は、第１発明の構成において、前記左取付座、右取付座、前部取付座および後部取付座のうちの少なくとも１ケ所以上で、かつ、前記フロアを固定する角部に排出口を配設したものである。
上記構成によれば、第１発明の作用効果に加えて、フロアと前記取付座とを固定する角部に設けた排出口から土砂等をすべて洗い流すことができる。
【００１１】
第４発明は、第１発明の構成において、前記前部取付座および後部取付座は、平面視で略Ｕ字状、あるいは、Ｖ字状に形成され、かつ、前記前部取付座、および／あるいは後部取付座と前記フロアを固定する角部の少なくとも１ケ所に排出口を配設したものである。
上記構成によれば、第１発明の作用効果に加えて、前部取付座と後部取付座は、平面視で略Ｕ字状、あるいは、Ｖ字状に形成されているので、運転室を傾斜させて排出口が下側になるようにしてフロアに散水すれば、Ｕ字状、あるいは、Ｖ字状に形成される前部取付座、あるいは、後部取付座に沿って水が流れて、フロアに付着する土砂等を排出口から車体外部に洗い流すことができる。
【００１２】
第５発明は、第１発明乃至第４発明のうちのいずれかに記載の構成において、前記操縦装置の前方で、かつ、前記前部取付座と前記フロアとを固定する角部の少なくとも１ケ所に排出口を配設したことを特徴とする建設機械の運転室のフロア。
上記構成によれば、運転室を前傾斜させて排出口が下側になるようにしてフロアに散水すれば、操縦装置の前方にある前部取付座に沿って水が流れて、フロアに付着する土砂等を排出口から車体外部に洗い流すことができる。
【００１３】
第６発明は、第１発明乃至第５発明のうちのいずれかに記載の構成において、前記フロアは、前方傾斜、あるいは、後方傾斜状態に配設されることを特徴とする。
上記構成によれば、フロアを前方傾斜、あるいは、後方傾斜させて配設するようにしたので、フロアに散水したときにフロアに付着する土砂等を排出口から車体外部へ容易に洗い流すことができる。
【００１６】
【発明の実施の形態】
以下に、本発明に係る建設機械の運転室のフロアの第１実施例について図１乃至図１０により説明する。なお、図１３と共通の部品については同一符号を付して説明する。
先ず、図１，図１のＡ−Ａ断面図の図３に示すように、運転室２７Ａのフロア１は上部旋回体２３のフレーム２３ａに複数箇所で緩衝材２を介してボルト３により取着されている。
図１のＺ視図の図２，図２のＢ−Ｂ断面図の図４に示すように、運転室２７Ａは、支柱や側壁等を支持する前部取付座４，後部取付座５，左取付座６，右取付座７を有している。これらの取付座４，５，６，７はフロア１の上面に当接して、ボルト８により締着されている。
前記の前後左右部取付座４，５，６，７は一体に構成されている。
図２のＢ−Ｂ断面図の図４は、取付座７とフロア１とをボルト８により締着状態の右前方側１ケ所のみ図示しているが、取付座４，５，６とフロア１とをボルト８により締着する右後方側、左前方側、および左後方側も同一構成となっており、図４により説明する。
図４に示すように、取付座４，５，６，７は、フロア１の下面から立ち上がる側壁４ａ，５ａ，６ａ，７ａを有している。
図２に示すように、前後部取付座４，５は四隅部にコーナリブ４ｃ，４ｄ，５ｃ，５ｄを内側に張り出しており、前部取付座４とコーナリブ４ｃ，４ｄは、平面視で略Ｕ字状（この実施例ではＵ字状としているが、これ以外にＶ字状にしても良い）に形成されている。また、後部取付座５とコーナリブ５ｃ，５ｄは、平面視で略Ｕ字状（あるいはＶ字状にしても良い）に形成されている。
【００１７】
次に、図２，図２のＣ−Ｃ断面図の図５に示すように、フロア１の上面と前部取付座４の壁４ａとで形成される角部Ｐにフロア１の上面に外部に通じる排出口１ａを図２に示すように左右２箇所設けている。
図５は、フロア１の上面と前部取付座４の壁４ａとで形成される角部Ｐのフロア１の上面に外部に通じる排出口１ａを示している。
この排出口１ａは、フロア１の上面と前部取付座４の壁４ａとで形成される角部Ｐで、かつ、図２に示す操縦装置５０の前方の中央部に配設するようにしても良い。
また、図５と同様に、フロア１の上面と後部取付座５の壁５ａとで形成される角部Ｐ、フロア１の上面と左取付座６の壁６ａとで形成される角部Ｐ、およびフロア１の上面と右取付座７の壁７ａとで形成される角部Ｐにも同様に排出口１ａを複数箇所配設するようにしても良い。
【００１８】
図６は、フロア１に配設される土砂等の排出口を示すものである。
フロア１には複数の排出口１ｅ，１ｆが配設されている。図に示す排出口１ｅ，１ｆは適宜位置を変更して土砂等が排出し易いように、フロア１の中央部に排出口を設ける、各取付座４，５，６，７とフロア１とを固定する角部に排出口１ａ，１ｂ，１ｃ，１ｄを設ける、あるいは、前記角部の近傍に排出口を設けることにより、土砂等が排出し易いようにしてある。
図７は、前記各排出口１ａ，１ｂ，１ｃ，１ｄ，１ｅ，１ｆに排出管１Ｐを接続した状態を示している。この排出管１Ｐからフロア１に付着する土砂等を水と一緒に洗い流して地面に落下させるようにしてあるので、上部旋回体のフレーム２３ａ等を汚さないようになっている。
【００１９】
次に、図１乃至図７の作動について図８乃至図１０を参照して説明する。
図８に示すように、建設機械４０をブロック等に乗り上げて、運転室２７Ａが前傾斜状態にする。この状態で図９，図１０に示すように、フロア１の後部から洗浄水を散水することにより、洗浄水は矢印に示すように流れる。
これにより、フロア１に付着する土砂等は、洗浄水に洗い流されて前記フロア１の上面と前部取付座４の壁４ａとで形成される角部Ｐの近傍の排出口１ａ，１ａから車体の外に排出される。
また、前述の如く、フロア１の上面と後部取付座５の壁５ａとで形成される角部Ｐ、フロア１の上面と左取付座６の壁６ａとで形成される角部Ｐ、およびフロア１の上面と右取付座７の壁７ａとで形成される角部Ｐにも同様に排出口１ａを複数箇所配設した場合は、建設機械４０をブロック等に乗り上げて、運転室２７Ａを後傾斜状態、左傾斜状態、および右傾斜状態にして、排出口１ａを傾斜下側に位置するようにすれば、上記と同様にフロアに散水するとフロア１に付着する土砂等は、洗浄水に洗い流されて排出口１ａ，１ａから車体の外に排出することはできる。
また、図２に示すように、前後部取付座４，５は四隅部にコーナリブ４ｃ，４ｄ，５ｃ，５ｄを内側に張り出して、略Ｕ字状（あるいはＶ字状）に構成したことにより、洗浄水が流れ易くしている。
さらに、図６に示す、フロア１に複数の排出口１ａ，１ｂ，１ｃ，１ｄ，１ｅ，１ｆを配設することにより、土砂等を洗浄水で容易に車体外部に排出させることができる。
さらにまた、図７に示す、排出口１ａ，１ｂ，１ｃ，１ｄ，１ｅ，１ｆに排出管１Ｐを接続しているので、土砂等は排出管１Ｐから地面に落下するので車体を汚すことはない。
これにより、従来のようにフロアをモップや電気掃除機等で清掃する手間がかからず、運転室のフロアを簡単に清掃することができる。
【００２０】
本発明に係る建設機械の運転室のフロアの第２実施例について、図１１により説明する。尚、第２実施例は、フロアが前傾斜している構成としているが、これ以外は第１実施例と同様の構成であり、図１乃至図５を参照して説明する。
図１１に示すように、上部旋回体のフレーム２３ｂに対して、フロア１Ａはθ2 だけ前傾して配設されて、図１乃至図５に示す前部取付座４，後部取付座５，左取付座６，右取付座７に図示しないボルトにより固定されている。
また、図１１は、フロア１Ａを前傾斜した構成を示しているが、このフロア１Ａを後傾斜させて配設するようにしても良い。
これにより、フロアを前方傾斜、あるいは、後方傾斜させて配設するようにしたので、建設機械を傾斜させる必要がなく、フロアに散水したときにフロアに付着する土砂等が排出口から車体外部へ容易に洗い流すことができる。
【００２１】
本発明に係る建設機械の運転室のフロアの第３実施例について、図１１，図１２により説明する。尚、第３実施例は、フロアが前傾斜している構成としているが、これ以外は第１実施例と同様の構成であり、図１乃至図５を参照して説明する。図１１に示す、フロア１Ａの上面に当接して、かつ、フロア１Ａの後方に噴射ノズル１１ａと給水口１１ｂを有する散水管１１を配置している。
運転室２７Ｂの後部に配設されるマシンキャブ２６の内部に給水入口１２ｂ，給水出口１２ａ，およびコック１２ｃを有する給水具１２を配設している。
前記散水管１１の給水口１１ｂと前記給水具１２の給水口１１ｂとをホース１３で接続している。
給水具１２の給水入口１２ｂは図示しない水道水等を導くホース１４と接続している。この給水入口１２ｂには、水道水以外に、図示しない水タンクをマシンキャブ２６内に配置させて、水ポンプにより洗浄水を圧送するようにすれば、建設機械が市街地を離れて稼働するときに便利である。
これにより、建設機械４０を傾斜させる必要がなく、図１２に示す如く、マシンキャブ２６のドア２６ａを開けて、ホース１４を給水具１２の入口１２ｂに連結し、コック１２ｃを開くだけでフロア１Ａの清掃が極めて容易にできる。
また、給水具１２はマシンキャブ２６の内部にあり、外部に露出していないので、作業時に土や石に接触して破損することはない。
【００２２】
上記第３実施例の散水管１１、ホース１３、給水具１２を前記第１実施例に適用して清掃の容易化を図れることは言うまでもない。
【００２３】
次に、本発明の建設機械の運転室のフロアの清掃方法について図８乃至図１０により説明する。
（１）図示しないフロアマットをフロア１の上面から取り外す。
（２）図８に示すように、片側のクローラの下にブロック等をかませて、車体をθ1 だけ傾斜させる。次いで、運転室２７Ａを前傾斜させて外部に通じる排出口１ａが傾斜下側となるようにする。
（３）フロア１の上面で、排出口１ａから見て上側から洗浄水を流す。
これにより、図９，図１０に示す如く、土砂、塵埃等が洗い流されて洗浄水と一緒に排出口１ａから車体外部に排出される。
（４）ブロックを取外して車体姿勢を元の状態に戻し、前記フロアマットをフロアフ１の上面に敷いて清掃完了である。
【００２４】
本発明の建設機械の運転室のフロアおよびその清掃方法は、建設機械以外の産業車両等の運転室に適用できることは言うまでもない。
【図面の簡単な説明】
【図１】本発明の運転室のフロアの第１実施例の側面図である。
【図２】同、図１のＺ視図である。
【図３】同、図１のＡ−Ａ断面図である。
【図４】同、図２のＢ−Ｂ断面図である。
【図５】同、図２のＣ−Ｃ断面図である。
【図６】同、フロアに配設される排出口の説明図である。
【図７】同、排出口に排出管を接続した状態を説明する図である。
【図８】同、建設機械の運転室を前傾させた図である。
【図９】同、運転室のフロアを上面から見た洗浄水の流れを示す図である。
【図１０】同、運転室の側面から見た洗浄水の流れを示す図である。
【図１１】本発明の他の運転室のフロア構造と散水管を配置した説明図である。
【図１２】同、給水具の取付け位置を説明する図である。
【図１３】従来の油圧ショベルを説明する図である。
【符号の説明】
１，１Ａ  フロア
１ａ，１ｂ，１ｃ，１ｄ，１ｅ，１ｆ  排出口
１Ｐ  排出管
３，８  ボルト
４  前部取付座
５  後部取付座
６  左取付座
７  右取付座
４ａ，５ａ，６ａ，７ａ  壁
４ｃ，４ｄ，５ｃ，５ｄ  コーナリブ
１１  散水管
１２  給水具
１３，１４  ホース
２０，４０  建設機械
２３  上部旋回体
２３ａ  フレーム
２６  マシンキヤブ
２６ａ  ドア
２７，２７Ａ，２７Ｂ  運転室
５０  操縦装置
【図１】
0003672145.tif 000002
【図２】
0003672145.tif 000003
【図３】
0003672145.tif 000004
【図４】
0003672145.tif 000005
【図５】
0003672145.tif 000006
【図６】
0003672145.tif 000007
【図７】
0003672145.tif 000008
【図８】
0003672145.tif 000009
【図９】
0003672145.tif 000010
【図１０】
0003672145.tif 000011
【図１１】
0003672145.tif 000012
【図１２】
0003672145.tif 000013
【図１３】
0003672145.tif 000014